(57)【要約】  【課題】室内のコーナ部分だけではなく、床面などの平面部分にも配線可能な屋内配線用光ケーブルを提供すること。  【解決手段】光ファイバー２を合成樹脂によって被覆してある配線部材１からなる光インドアケーブルにおいて、前記光ファイバー２とこの光ファイバー２のテンションメンバー３を併設して合成樹脂によって被覆してある配線部材１を断面が略三角形となるような形状に形成すると共にこの配線部材１の三角形の頂点部分４が容易に分離し、断面が台形にできるような切込溝５が穿設されている構成である。【選択図】  図１
2007178568.tif 000002
【特許請求の範囲】
【請求項１】
光ファイバーを合成樹脂によって被覆してある配線部材からなる光インドアケーブルにおいて、
前記光ファイバーとこの光ファイバーのテンションメンバーとを併設して合成樹脂によって被覆してある配線部材を断面が略三角形となるような形状に形成すると共にこの配線部材の三角形の頂点部分が容易に分離し、断面が台形にできるような切込溝が穿設されていることを特徴とするコーナ・フロアー兼用光インドアケーブル。
【請求項２】
一対の前記光ファイバー及び前記テンションメンバーが配線部材の両翼に配置されていることを特徴とする請求項１に記載のコーナ・フロアー兼用光インドアケーブル。
【請求項３】
前記切込溝が両傾斜面の両側から穿って、頂点が容易に引きちぎれるようになっていることを特徴とする請求項１または請求項２に記載のコーナ・フロアー兼用光インドアケーブル。
【請求項４】
前記テンションメンバーが非金属材料で構成したことを特徴とする請求項１ないし請求項３に記載のいずれか１つのコーナ・フロアー兼用光インドアケーブル。
【発明の詳細な説明】
【技術分野】
【０００１】
本発明は、光通信サービスにおける光ファイバーを埋設した屋内の配線ケーブルに関し、特に、室内のコーナ部分に簡易に取り付けられるコーナ・フロアー兼用光インドアケーブルに関する。
【背景技術】
【０００２】
光ケーブルや電線などを屋内に配線するに際してむき出しで配線されている場合、電線などの損傷を防止するために古くから電線などを収納する合成樹脂の枠体の保護カバーをしたものなどが知られている。また、光ケーブルを合成樹脂で被覆したものなども知られている。例えば、実開昭６０−９６６６１２号公報「平形光ケーブル」が提案されている。
【０００３】
更に、光ケーブルを方形の金属枠内に閉じ込めて、屋内に配線するのも知られている。
しかし、これら電線などを配線する場合は、壁面や床面に釘うちによって固定する方法や保護枠の底面に接着剤などを塗布したものなどが利用されている（実開昭６２−１３１３０８号公報）。
【０００４】
これら従来の配線方法では、コーナに配線したときに不都合であり、また、屋内の壁面や床面に接着テープ、ステップルなどで固着するために壁面などを傷つけたり、接着剤の痕が残ったり、配線を除去したときにはあまり好ましいものではなかった。特に、部屋内の壁面における傷跡は表面の補修を必要としていた。
【０００５】
【特許文献１】実開昭６０−９６６１２号公報第１頁
【特許文献２】実開昭６２−１３１３０８号公報第１頁
【発明の開示】
【発明が解決しようとする課題】
【０００６】
本発明は、従来の多くの問題点を解決し、屋内の隅（コーナ）にも目立たないように簡単に配線でき、壁面などの損傷を最小限にした光ケーブルを提供するものである。
本発明の課題は、部屋内の壁面と床面との接触部分のコーナにも簡易に取り付けられ、壁面を傷つけないように配線することができるコーナ・フロアー兼用光インドアケーブルを提供することである。
また、本発明の課題は、室内のコーナ部分だけではなく、床面などの平面部分にも配線可能な屋内配線用光ケーブルを提供することである。
【課題を解決するための手段】
【０００７】
本発明の前記課題は、以下の構成によって達成できる。
光ファイバーを合成樹脂によって被覆してある配線部材からなる光インドアケーブルにおいて、前記光ファイバーとこの光ファイバーのテンションメンバーとを併設して合成樹脂によって被覆してある配線部材を断面が略三角形となるような形状に形成すると共にこの配線部材の三角形の頂点部分が容易に分離し、断面が台形にできるような切込溝が穿設されているコーナ・フロアー兼用光インドアケーブルの構成である。
【０００８】
本発明の前記課題は、一対の前記光ファイバー及び前記テンションメンバーが配線部材の両翼に配置されている構成、前記切込溝が両傾斜面の両側から穿って、頂点が容易に引きちぎれるようになっている構成及び前記テンションメンバーが非金属材料で構成したことによって達成できる
【発明の効果】
【０００９】
本発明のコーナ・フロアー兼用光インドアケーブルは，全体が三角形に形成してあるから部屋内において目立たないようにコーナ部分に配線が可能である。しかも、固定するときはコーナの隅部に画鋲などで固着することができるから、壁面に対する損傷を最小限に抑えることが可能である。
【００１０】
本発明のコーナ・フロアー兼用光インドアケーブルは、部屋内のコーナに限らず、頂部を簡易に除去して床面にも簡易に配線し、画鋲などで固着することができる。しかも、テンションメンバーが  非金属材料で形成することによって全体がノンメタリック仕様となっているから雷対策を必要としない。
【発明を実施するための最良の形態】
【００１１】
以下，本発明に係わるコーナ・フロアー兼用光イオンドアケーブルの一実施の形態について図面を参照して詳細に説明する。
図１は本発明に係るコーナ・フロアー兼用光インドアケーブルの実施形態の斜視図である。図２は、屋内のコーナに取り付けた状態を示す拡大説明図である。図３は部屋内の配線状態を示す説明図である。図４は床面に配線できるように頂点部分を切り離した状態の切り口を示す側面図である。図５は図４の配線状態を示す説明図である。
【００１２】
図１に示す本発明のコーナ・フロアー兼用光インドアケーブルの一実施形態について説明する。
１は合成樹脂、例えば、難燃性ポリエチレン樹脂などの配線部材で、内部に光ファイバー２、テンションメンバー３を埋設してある。この配線部材１はほぼ三角形に形成し、頂部４は丸みを持たせてある。対称的に両側に１対の光ファイバー２とテンションメンバー３とが配置してあり、両側の傾斜面に切込溝５,５が穿ってあり、頂部４が切取り易いようになっている。底面には複数本のフロア配線用の溝が穿ってあり、中央の溝を大きく形成してある。
【００１３】
このように形成してある配線部材１は、三角形になっているので、部屋内に配線するときにはコーナ部分に這わせて配線することができるので目立たない。そのうえ固定するときには底面の中央の溝に画鋲を差し込んで壁面のコーナに刺し通して固定するので壁面の傷が小さく、目立たない（図３参照）。
【００１４】
部屋内のコーナ以外の床面、壁面などの平面部分に這って配線するときは、頂部４を切込溝５,５部分で切断して頂部を除去し、上端面を平面にして画鋲などで簡易に固定することができる（図５参照）。
【００１５】
図面に示す実施形態においては、光ファイバーが２本配置されているがこの本数に限定されることはなく、全体にバランスよく配置して３本以上に埋設してもよい。また、配列状態はこれに限定されるものではない。
【００１６】
本発明の配線部材の材料については難燃性ポリエチレン樹脂が使用されているが、このような樹脂に限定されることはなく、一般的な樹脂も使用できる。
また、本発明の屋内配線用光ケーブルの配線部材として、防鼠剤、集光性物質、蛍光物質などを含有する合成樹脂を使用することができる。
【図面の簡単な説明】
【００１７】
【図１】本発明に係るコーナ・フロアー兼用光インドアケーブルの実施形態の斜視図である。
【図２】本発明のコーナ・フロアー兼用光インドアケーブルを屋内のコーナに取り付けた状態を示す拡大説明図である。
【図３】本発明のコーナ・フロアー兼用光インドアケーブルの部屋内の配線状態を示す説明図である。
【図４】本発明コーナ・フロアー兼用光インドアケーブルの床面に配線する場合の頂部分を切り離した状態を示す側面図である。
【図５】図４の配線状態を示す説明図である。
【符号の説明】
【００１８】
１     
配線部材
２     
光ファイバー
３      
テンションメンバー 
４      頂部
５      切込溝
６      画鋲
【図１】
2007178568.tif 000003
【図２】
2007178568.tif 000004
【図３】
2007178568.tif 000005
【図４】
2007178568.tif 000006
【図５】
2007178568.tif 000007